(57)【要約】【課題】手軽に場所を移動でき、好みの場所において、簡易に組み立て可能で、かつ物品の収納および取り出しが容易であり、物品収納部材、物品収納具および物品収納具の使用方法を提供すること。【解決手段】両端付近に開口部が形成された帯状台座と、その一部が前記開口部から表出するように、前記帯状台座に取り付けられている回動輪と、前記帯状台座に対向し、該帯状台座の回動輪が運行する溝状レールまたは突起状レールが長手方向に形成された帯状基台とを有する物品収納部材による。【選択図】　図８
2004141607.tif 000002
【特許請求の範囲】
【請求項１】
前端付近と後端付近とに開口部が形成されている帯状台座と、
その一部が前記開口部から表出するように、前記帯状台座に取り付けられている回動輪と、
前記帯状台座の回動輪が運行する溝状レールまたは突起状レールが長手方向に形成されている帯状基台と、
を有することを特徴とする物品収納部材。
【請求項２】
請求項１記載の物品収納部材において、前記帯状基台に溝状レールが形成されているとき、前記回動輪は該溝の中を運行する一輪であり、前記帯状基台に突起状レールが形成されているとき、前記回動輪は該突起状レールを両側から挟み込む二輪であることを特徴とする記載の物品収納部材。
【請求項３】
前記帯状台座は中央の底板と該底板から両側に屈曲して立設する両側板とを有し、その断面がコの字形状であることを特徴とする請求項１に記載の物品収納部材。
【請求項４】
前記帯状台座の各開口部付近に、物品収納棚の支柱取り付け用孔が形成されていることを特徴とする請求項１乃至３のいずれか１に記載の物品収納部材。
【請求項５】
前記帯状台座の各開口部付近に、物品収納棚の支柱の先端を収納する先端受け部材を備えていることを特徴とする請求項１乃至３のいずれか１に記載の物品収納部材。
【請求項６】
前記帯状台座の各開口部の両側板に回動輪取り付け用孔が形成されていることを特徴とする請求項１乃至５のいずれか１に記載の物品収納部材。
【請求項７】
請求項１乃至６のいずれか１に記載の物品収納部材を少なくとも２組有することを特徴とする物品収納部材。
【請求項８】
少なくとも４本の支柱を有する物品収納棚と請求項７に記載の物品収納部材とを有する物品収納具。
【請求項９】
前記帯状基台の一方の先端に突起が形成され、他方の先端に該突起が嵌合可能な形状の切り欠きが形成されており、複数の帯状基台が連結可能であることを特徴とする請求項１乃至８のいずれか１に記載の物品収納部材。
【請求項１０】
前記帯状基台の溝の一部を被覆して前記回動輪の運行を停止するストッパを備えていることを特徴とする請求項１乃至９のいずれか１に記載の物品収納部材。
【請求項１１】
請求項８に記載の物品収納具の使用方法であって、
物品収納棚の一方の支柱列を一方の帯状台座に取り付け、物品収納棚の他方の支柱列を他方の帯状台座に取り付け、
さらに各帯状台座の真下になるように各帯状基台を床等に載置し、
各帯状基台の間隔を調整して帯状台座の回動輪を帯状基台の溝に載せることを特徴とする物品収納具の使用方法。
【発明の詳細な説明】
【０００１】
【発明の属する技術分野】
本発明は、物品収納部材、物品収納具および物品収納具の使用方法に関する。
【０００２】
【従来の技術】
物品収納具の基本的な役割としては、限られた場所にできるだけ多くの物品を収納できることである。しかしながら、単に物品をたくさん収納することができたとしても、物品の取り出し難いと物品が使用されなくなる。これでは、物品の本来の機能が発揮されないことになってしまう。
【０００３】
そこで、収納効率を上げるだけでなく、物品の使用効率を上げることを目的とした種種の物品収納具が考案されている。本出願人が提案したハンガー収納具（実用新案登録番号２５４２６９０号）もそのひとつである。
【０００４】
本願出願人は、さらにより簡単な構成であり、より簡単に組立てることが可能で、また組立てる場所の変更が容易な物品収納具を鋭意検討してきた。
【０００５】
本発明はかかる点に鑑みて創作されたものであり、手軽に場所を移動でき、好みの場所において、簡易に組み立て可能で、かつ物品の収納および取り出しが容易であり、物品収納部材、物品収納具および物品収納具の使用方法を提供することを目的とする。
【０００６】
【課題を解決するための手段】
本願発明の物品収納部材は、両端付近に開口部が形成された図１に例示する帯状台座と、その一部が前記開口部から表出するように、前記帯状台座に取り付けられている図２に例示する回動輪と、前記帯状台座に対向し、該帯状台座の回動輪が運行するレールが長手方向に形成された図４に例示する帯状基台とを有し、上記目的を達成する。
【０００７】
前記帯状台座は中央の底板と該底板から両側に屈曲して立設する両側板とを有し、その断面がコの字形状であることを特徴とする。
【０００８】
前記帯状台座の各開口部付近に、物品収納棚の支柱取り付け用孔が形成されていることを特徴とする。
【０００９】
前記帯状台座の各開口部付近に、物品収納棚の支柱の先端を収納する先端受け部材を備えていることを特徴とする。
【００１０】
前記帯状台座の各開口部の両側板に回動輪取り付け用孔が形成されていることを特徴とする。
【００１１】
本願発明の物品収納部材は、上記の物品収納部材を少なくとも２組有することを特徴とする。
【００１２】
本願発明の物品収納具は、少なくとも４本の支柱を有する物品収納棚と上記の物品収納部材とを有することを特徴とする。
【００１３】
また、前記帯状基台の一方の先端に突起が形成され、他方の先端に該突起が嵌合可能な形状の切り欠きが形成されており、複数の帯状基台が連結可能であることを特徴とする。
【００１４】
さらに、前記帯状基台の溝の一部を被覆して前記回動輪の運行を停止するストッパを備えていることを特徴とする。
【００１５】
また、本願発明の物品収納具の使用方法は、物品収納棚の一方の支柱列を一方の帯状台座の支柱取り付け孔に取り付け、物品収納棚の他方の支柱列を他方の帯状台座の支柱取り付け孔に取り付け、さらに各帯状台座の真下になるように各帯状基台を床等に載置し、各帯状基台の間隔を調整して帯状台座の回動輪を帯状基台の溝に載せることを特徴とする。
【００１６】
【作用】
本願発明によれば、物品収納台を支える各支柱を二本の帯状台座に取り付ける構成をしており、各帯状台座はその下に対向するように置かれた形状がほぼ同じ帯状基台で支えられている。これにより、帯状台座にかかる重量はそのまま帯状基台全体で受けとめるので非常に安定している。
【００１７】
また帯状台座の前端後端の開口部を介して設けられた回動輪は帯状基台の溝に沿って前後に安定して移動可能である。
【００１８】
さらに、機構上、物品収納棚およびその上に置かれた物品の重量の重心は二つの帯状台座の間の中央付近にあるとともに、重さが加わるほど中央付近に集まろうとするので、重心がどちらかの帯状台座に偏って回動輪が帯状基台の溝からはずれて脱輪したりすることはなく、非常に安定している。
【００１９】
【発明の実施の形態】
以下に、本発明の実施の形態について、添付図面を参照しながら詳細に説明する。
【００２０】
（１）本発明の第１実施形態に係る物品収納部材についての説明
図１（ａ）〜（ｃ）は本発明の第１実施形態に係る帯状台座を示す図であり、図１（ａ）は帯状台座の正面図、図１（ｂ）は帯状台座の上面図、図１（ｃ）は帯状台座の側面図である。また図２は帯状台座に回動輪を取り付ける止めネジ付き回動輪の側面図である。
【００２１】
図３（ａ）〜（ｄ）は帯状台座に回動輪を取り付けた状態を示す図であり、図３（ａ）はその上面図、図３（ｂ）はその正面図、図３（ｃ）はその側面図である。また、図４はその全体斜視図である。
【００２２】
図１に示すように、帯状台座１は底板１ａと側板１ｂ，　１ｃからなる断面がコの字状をしており、台座の耐荷重性を高めている。帯状台座１の前部には、回動輪４ａの一部が底板１ａの下から出るように、開口部２ａが形成されている。同様に帯状台座１の後部には、回動輪４ｂの一部が底板１ａの下から出るように、開口部２ｂが形成されている。さらに開口部２ａよりも前よりに、後述する物品収納棚の支柱を取り付けるための支柱取り付け孔３ａが形成されている。同様に開口部２ｂよりも後よりに、支柱取り付け孔３ｂが形成されている。
【００２３】
また、開口部２ａの両側の側板１ｂ，　１ｃには回動輪の軸を取り付けるための回動輪取り付け孔５ａ，　５ｂが設けられている。同様に、開口部２ｂの両側の側板１ｂ，　１ｃには回動輪の軸を取り付けるための回動輪取り付け孔６ａ，　６ｂが設けられている。回動輪４ａの取り付けは、回動軸を回動輪取り付け孔５ａ，　５ｂに通して帯状台座の側板１ｂ，　１ｃにネジ留めすることにより、簡単に行うことができる。同様に、回動輪４ｂの取り付けは、回動軸を回動輪取り付け孔６ａ，　６ｂに通して帯状台座の側板１ｂ，　１ｃにネジ留めすることにより行う。これにより回動輪４ａ，　４ｂは軸支されて自在に回動することができる。
【００２４】
次に、本発明の第１実施形態に係る帯状基台７について説明する。帯状基台は上述した帯状台座の直下に置かれるもので、図５（ａ）は帯状基台の上面図、図５（ｂ）は帯状基台の側面図を示している。
【００２５】
帯状基台７の中央には、基台の長手方向に沿って溝状レール７ａが形成されており、溝の幅は回動輪の運行に支障がないように回動輪の幅よりやや広めになっている。また、溝の深さは、回動輪が運行中に溝から脱輪しない程度の深さに形成されている。
【００２６】
帯状基台の材質は特に問わないが、アルミ材やプラスティック材で作製すれば軽量で、かつ弾力性も得られて好都合である。
【００２７】
図６は、帯状基台の変形例を示す側面図である。図のように、帯状基台の下側を削っている。これにより帯状基台は収納物品の荷重によって内側に撓むので、回動輪と溝との係合性がより強化される。
【００２８】
（２）本発明の実施の形態に係る物品収納具についての説明
図７を参照しながら、上記物品収納部材を用いて物品収納具を組立てる方法について説明する。なお、物品収納棚８の支柱９の下端には、ネジ留め用端部を備えているのでこれを利用する。まず支柱９の下端を帯状台座１の支柱取り付け孔３ａに合わせる。次に雄ネジ１１を帯状台座１の裏側から孔３ａを介して支柱端部の雌ネジ１２に嵌め込んでいく。これにより、支柱９は台座１の底板に固定される。このようにして、一方の支柱列の各支柱を一本の帯状台座に固定する。
同様にして、他方の支柱列の各支柱を別の一本の帯状台座に固定する。
【００２９】
次いで、組立てられた２つの帯状台座の駆動輪の間隔に合わせ、２本の帯状基台を床上に載置する。
【００３０】
そして、帯状台座の各回動輪がその下の帯状基台の溝中に収まるように、帯状基台の間隔を調整する。
【００３１】
こうしてすべての回動輪を帯状基台の溝に載せると、図８のようになる。
【００３２】
なお、実施の形態では、帯状台座の強度を確保する上でその断面をコの字状にしているが、必ずしもコの字状態にする必要がなく、適宜、変更してもよい。
【００３３】
また、支柱の帯状台座への取り付けは、底板に孔を形成して行ったが、他の方法を用いてよい。たとえば、回動輪の取り付けと同様に、側板に孔を設けてもよい。
【００３４】
また、支柱を底板の上に載置するだけでも可能であるが、安全性の点から支柱は帯状台座にネジ等を用いて固定することが望ましい。
【００３５】
台座や基台としては、軽量および強度を確保できる材質として、アルミ材やプラスティック材が適している。
【００３６】
帯状台座の底板に設ける孔の形状は、支柱の間隔が常に定まっているときは、正円でよいが、間隔に多少のずれが生じた場合や、別の物品収納棚で異なる支柱間隔についても利用できるように、細長い円や溝状であってもあってもよい。
【００３７】
次に物品収納具の移動できる距離を伸ばしたい場合について説明する。
【００３８】
図９（ａ）は、そのための帯状基台の一実施形態に係る上面図であり、帯状基台の一方の端部に突起部を形成し、他方の端部に突起部の形状に合わせた切り欠きを形成している。これにより、図９（ｂ）に示すように、複数本の帯状基台を連続して接続することができる。なお、この突起部や切り欠きは互いに係合できればよく、その形状は特に限定されない。
【００３９】
図１０（ａ），　（ｂ）は、帯状基台７の溝７ａに嵌め込むストッパ１４を示す図である。これにより、回動輪が帯状基台の溝を通り越して進まないようにすることができる。
【００４０】
また、収納台の移動する区間を定めるとき、区間を設定する各位置にストッパを取り付ければよい。さらに収納台を特定の場所に固定しておく必要があるときには、回動輪の前後にストッパを嵌めて回動輪が動かないようにしておけばよい。
【００４１】
本願発明者は本願発明に係る帯状台座、帯状基台および回動輪を含む物品収納部材を実際に作製した。また、物品収納具の各支柱を帯状台座の支柱取り付け孔に取り付け、帯状台座の回動輪を基台上に載せてその安定性や走行性を確認した。その結果、回動輪は基台の溝に沿って極めて円滑に運行し、物品収納具はバランスよく帯状基台上を移動することを確認した。また物品収納具の荷重がある程度重いほうがむしろ運行がより安定することを確認することができた。
【００４２】
収納場所を変更するときも、帯状基台の位置を移動するだけで簡単に行うことができる。さらに、家庭内の狭い場所でも、帯状基台を置く位置や方向を変更するだけで、最適な場所を選択することができるので、物品の収納効率と共に利用効率の向上を図ることが可能である。
【００４３】
（３）本発明の第２実施形態に係る物品収納部材についての説明
上述した本発明の第１実施形態に係る物品収納部材が、家庭など、比較的軽い物品を収納する適用されるのに対し、本発明の第２実施形態に係る物品収納部材は、重量の重い物を収納する業務用においても十分に耐えられるような構造を備えている。
【００４４】
図１１（ａ）〜（ｃ）は本発明の第２実施形態に係る帯状台座を示す図であり、図１１（ａ）は帯状台座の正面図、図１１（ｂ）は帯状台座の上面図、図１１（ｃ）は帯状台座の側面図である。また図１２は帯状台座に回動輪を取り付ける止めネジ付き回動輪の側面図である。第２実施形態に係る回動輪は、図２に示す第１実施形態に係る回動輪と異なり、車輪はダブルとなっている。これにより、耐荷重をより増すことが可能となる。
【００４５】
図１３（ａ）〜（ｄ）は帯状台座に回動輪を取り付けた状態を示す図であり、図１３（ａ）はその上面図、図１３（ｂ）はその正面図、図１３（ｃ）はその側面図である。
【００４６】
図１１に示すように、帯状台座２１は底板２１ａと側板２１ｂ，　２１ｃからなる断面がコの字状をしており、台座の耐荷重性を高めている。帯状台座２１の前部には、回動輪２４ａの一部が底板２１ａの下から出るように、開口部２２ａが形成されている。同様に帯状台座２１の後部には、回動輪２４ｂの一部が底板２１ａの下から出るように、開口部２２ｂが形成されている。さらに開口部２２ａよりも前よりに、物品収納棚の支柱を取り付けるための支柱取り付け孔２３ａが形成されている。同様に開口部２２ｂよりも後よりに、支柱取り付け孔２３ｂが形成されている。なお、支柱取り付け孔２３ａ，　２３ｂの各位置は開口部２２ａ，　２２ｂの近傍であればよく、特にその位置を特定するものではない。
【００４７】
開口部２２ａの両側の側板２１ｂ，　２１ｃには回動輪の軸を取り付けるための回動輪取り付け孔２５ａ，　２５ｂが設けられている。同様に、開口部２２ｂの両側の側板２１ｂ，　２１ｃには回動輪の軸を取り付けるための回動輪取り付け孔２６ａ，　２６ｂが設けられている。回動輪２４ａの取り付けは、回動軸を回動輪取り付け孔２５ａ，　２５ｂに通して帯状台座の側板２１ｂ，　１２ｃにネジ留めすることにより、簡単に行うことができる。同様に、回動輪２４ｂの取り付けは、回動軸を回動輪取り付け孔２６ａ，　２６ｂに通して帯状台座の側板２１ｂ，　２１ｃにネジ留めすることにより行う。これにより回動輪２４ａ，　２４ｂは軸支されて自在に回動することができる。
【００４８】
次に、本発明の第２実施形態に係る帯状基台２７について説明する。帯状基台２７は上述した帯状台座２１の直下に置かれるもので、図１４（ａ）は帯状基台の上面図、図１４（ｂ）は帯状基台の側面図を示している。図１５は、第２の実施形態に係る回動輪と帯状基台の突起状レールとの係合を説明する図である。
【００４９】
帯状基台２７の中央には、基台の長手方向に沿って突起状レール２７ａが形成されており、突起の幅は回動輪の運行に支障がないように回動輪の二つの車輪の間隔よりやや小さめになっている。また突起の高さは、回動輪が運行中に脱輪しない程度の高さに形成されている。２７ｂは帯状基台の下側に形成された帯状基台連結用ピンを装填する溝である。
【００５０】
帯状基台の材質は特に問わないが、アルミ材やプラスティック材で作製すれば軽量で、かつ弾力性も得られて好都合である。
【００５１】
図１６は帯状基台を連結していく状態を説明する図であり、図１６（ａ）は連結前、図１６（ｂ）は連結後の状態をそれぞれ示している。なお、図において、２７ｃは溝２７ｂ中に装填された連結用ピンであり、帯状基台は連結用ピンを介してつながっていく。これにより、必要なだけ物品収納台の移動距離を延ばすことができる。
【００５２】
図１７は帯状台座の回動輪がレールを越えて進まないようにするためのストッパを説明する図であり、図１７（ａ）はストッパ３４の取り付け前、図１７（ｂ）は取り付け後の状態をそれぞれ示している。図のように、ストッパ３４の凹部はレールの突部にちょうど嵌るような大きさに形成されている。なお、ストッパ３４の材質がゴム等の弾性体のとき、レールとの摩擦が大きくなって抜け落ち難くなるのでストッパとしてより有効となる。
【００５３】
図１８は別の帯状基台２８の構造および帯状基台の連結の仕方を説明する図である。図１８（ａ）の断面図に示すように、帯状基台２８の断面は、帯状台座の車輪と係合する突部２８ａを両側にして対称的にふたつの段部２８ｂと２８ｃが設けられている。高い方の段部２８ｂは帯状台座の車輪がその上を通っていく。一方、低い方の段部２８ｃは帯状基台を連結するための連結用カバーを取り付けたり、ストッパを取り付けたりするために用いられる。図１８（ｂ）は二本の帯状基台を連結した状態を示す上面図である。連結用カバー２９ａは二本の帯状基台の段部２８ｃに橋渡すように載置され、図１８（ｂ）のＸ−Ｘ方向から見た断面図である図１８（ｃ）に示すように、帯状基台に形成された孔、連結用カバーに形成された孔を合わせた後にネジ３０ａによってネジ留めされる。
【００５４】
同様に、図１８（ｂ）および図１８（ｂ）のＹ−Ｙ方向から見た断面図である図１８（ｄ）に示すように、ストッパ２９ｂは帯状基台の端部においてネジ３０ｂによりネジ留めされる。
【００５５】
このようにネジ留めされることにより、より強固な連結が可能となり、またストッパ機能が保証されるので、業務用の重量の重い収納物、例えば、牛やマグロ等の大型冷凍用食肉を本願発明の収納物品を用いて運搬したり保管するときにも帯状基台間の連結がはずれたり、ストッパが帯状基台からずれ落ちたりすることはなく、極めて安全である。
【００５６】
同時に、図１５や図１８（ａ）に示す突状レールを用いることにより、これら大型冷凍用食肉から水等の液体がレール上にこぼれたとしても、かかるレール構造により液体がレールから下に流れ落ちるので、レール上での凍結を防止することができる。このため、レール上を運行する帯状台座の車輪の運行が妨げられることもなく、円滑な運行を保証することができる。
【００５７】
なお、物品収納具の各支柱を本発明の第２実施形態に係る帯状台座の支柱取り付け孔に取り付ける方法については、本発明の第１実施形態と同様であるので、説明を省略する。
【００５８】
（４）別の帯状台座についての説明
図１９（ａ）乃至（ｅ）は本願発明の請求項５に対応する別の帯状台座を説明する図である。図１９（ａ）は支柱先端受け部材を示す斜視図であり、この受け部材の中央には支柱の先端が嵌合可能に開口部が形成されている。図１９（ｂ）、図１９（ｃ）、図１９（ｄ）は、それぞれ受け部材３１ａ、３１ｂを帯状台座の前部と後部にハンダ付け等により固着した状態を示す上面図、側面図、正面図である。
【００５９】
また、図１９（ｅ）は物品収納棚の支柱の先端３２ａ、３２ｂを帯状台座の支柱先端受け部３１ａ、３１ｂに取付けるときの状態を説明する図である。このように、支柱の先端３２ａ、３２ｂの径と、支柱先端受け部３１ａ、３１ｂの開口径がほぼ合致するように作製しておけば、支柱の先端を受け部の開口に挿嵌するという簡単な作業だけで確実な取付けが可能となる。
【００６０】
【発明の効果】以上のように、本願発明によれば、２列の帯状台座の下には、常に対向して同じ形状の２列の帯状基台があるので、収納物品の荷重は、２列の台座から該台座に対向した２列の基台へと全体にわたり平均してかかる。このため、帯状台座の下の回動輪は、帯状基台のレールに押し付けられながらレール上を円滑に運行する。また、荷重が重くなればなるほど基台の床への密着性は増すので、基台が床上でずれることはなく、安全性も高い。
【００６１】
さらに収納台の一方の支柱列を対応する一方の帯状台座の取り付け孔に取り付け、他方の支柱列を他方の帯状台座の取り付け孔に取り付けると、収納台の荷重は両側の支柱列を介して直接２つの帯状台座に分担されるとともに、全体の重心は２つの帯状台座の中間に位置しているので、本願発明の物品収納具は極めて安定した状態にあり、従って安全性も高い。
【００６２】
本願発明の収納部材は、回動輪を備えた帯状台座および帯状基台という極めて簡単な構成であるから、運送・運搬や取り付けや取り外し等の組立てに関する作業も至って簡単である。
【図面の簡単な説明】
【図１】図１（ａ）〜（ｃ）は本発明の第１の実施形態に係る帯状台座を示す図である。
【図２】図２は本発明の第１の実施形態に係る止めネジ付き回動輪を示す図である。
【図３】図３（ａ）〜（ｃ）は本発明の第１の実施形態に係る回動輪を帯状台座に取り付けた状態を示す図である。
【図４】図４は本発明の第１の実施形態に係る物品収納部材の全体構成を示す斜視図である。
【図５】図５（ａ），（ｂ）は、本発明の第１の実施形態に係る帯状基台を説明する図である。
【図６】図６は本発明の第１の実施形態に係る帯状基台の変形例を示す図である。
【図７】図７は本発明の第１の実施形態に係る物品収納具の組立てる方法について説明する図である。
【図８】図８は本発明の第１の実施形態に係る物品収納具の組立て後の斜視図である。
【図９】図９（ａ），（ｂ）は本発明の第１の実施形態に係る連結可能な帯状基台を説明する図である。
【図１０】図１０（ａ），（ｂ）は本発明の第１の実施形態に係るストッパを説明する図である。
【図１１】図１１（ａ）〜（ｃ）は本発明の第２の実施形態に係る帯状台座を示す図である。
【図１２】図１２は本発明の第２の実施形態に係る止めネジ付き回動輪を示す図である。
【図１３】図１３（ａ）〜（ｃ）は本発明の第２の実施形態に係る回動輪を帯状台座に取り付けた状態を示す図である。
【図１４】図１４（ａ），（ｂ）は、本発明の第２の実施形態に係る帯状基台を説明する図である。
【図１５】図１５は本発明の第２の実施形態に係る帯状台座を帯状基台との係合を説明する図である。
【図１６】図１６（ａ），（ｂ）は本発明の第２の実施形態に係る帯状基台の連結を説明する図である。
【図１７】図１７（ａ），（ｂ）は本発明の第２の実施形態に係るストッパを説明する図である。
【図１８】図１８（ａ）〜（ｃ）はその他の実施形態に係る帯状基台、連結およびストッパを説明する図である。
【図１９】図１９（ａ）〜（ｅ）は他の実施形態に係る帯状台座を説明する図である。
【符号の説明】
１，　２１・・・帯状台座、
１ａ，　２１ａ・・・帯状台座の底板、
１ｂ，　１ｃ，　２１ｂ，　２１ｃ・・・帯状台座の側板、
２ａ，　２ｂ，　２２ａ，　２２ｂ・・・開口部、
３ａ，　３ｂ，　２３ａ，　２３ｂ・・・支柱取り付け孔、
４ａ，　４ｂ，　２４ａ，　２４ｂ・・・回動輪、
５ａ，　５ｂ　６ａ，　６ｂ，　２５ａ，　２５ｂ，　２６ａ，　２６ｂ・・・回動輪取り付け孔、
７，　２７，　２８・・・帯状基台、
７ａ・・・溝状レール、
９・・・支柱、
１１・・・雄ネジ、
１２・・・雌ネジ，
１４、３４、２９ｂ・・・ストッパ、
２７ａ，　２８ａ・・・突起状レール、
２７ｂ・・・溝、
２７ｃ・・・連結用ピン、
２８ｂ，　２８ｃ・・・段部、
２９ａ・・・連結用カバー、
３０ａ，　３０ｂ・・・ネジ、
３１ａ，　３１ｂ・・・支柱先端受け部材、
３２ａ，　３２ｂ・・・支柱の先端。
【図１】
2004141607.tif 000003
【図２】
2004141607.tif 000004
【図３】
2004141607.tif 000005
【図４】
2004141607.tif 000006
【図５】
2004141607.tif 000007
【図６】
2004141607.tif 000008
【図７】
2004141607.tif 000009
【図８】
2004141607.tif 000010
【図９】
2004141607.tif 000011
【図１０】
2004141607.tif 000012
【図１１】
2004141607.tif 000013
【図１２】
2004141607.tif 000014
【図１３】
2004141607.tif 000015
【図１４】
2004141607.tif 000016
【図１５】
2004141607.tif 000017
【図１６】
2004141607.tif 000018
【図１７】
2004141607.tif 000019
【図１８】
2004141607.tif 000020
【図１９】
2004141607.tif 000021